(57)【要約】【課題】内部に被包装物を縦列等間隔に収容したチューブチューブを、皺を取り除きながら上下一対のシールバーにより溶着する。【解決手段】全体の左手半分を図示するシールバー１９、２０に、ピン３８、３９を介して支持した複数の平行リンク４１、４２で挟持爪４３、４４を支え、収縮性のコイルスプリング４５の収縮力で、上下の挟持爪４３、４４を突き出し方向に付勢する。上下シールバー１９、２０の接近で上下の挟持爪４３、４４間に、突き合い抗力が発生した場合、平行リンク４１、４２はピン３８、３９を軸に回転してコイルスプリング４５を引き伸ばし挟持爪４３、２０は溶着する。【選択図】図１
0003120353.tif 000002
【実用新案登録請求の範囲】
【請求項１】
被包装物を縦列等間隔で収容して長手方向に移送するチューブフイルムを、前記各被包装物間で挟圧して前記フイルムを密封シールする上下一対の加熱シールバーであつて、前記フイルムの移送軌道両側における前記上下シールバーの前後面それぞれに、前記フイルム両側を挟持して両側方向に引っ張る装置を設けたものであつて、該装置は、上下の挟持爪をそれぞれ平行リンクでもって上下シールバーに揺動自在に支持する一方、通常、これら上下挟持爪をコイルスプリングの引っ張り特性でもって互いに対向方向に突き出すように付勢し、前記両シールバーの接近で前記挟持爪が互いに突き合うことで、前記コイルスプリングの引っ張り力に抗して前記両側の平行リンクを相反する方向に回転させるように構成した装置。
【考案の詳細な説明】
【技術分野】
【０００１】
本考案は、内部に被包装物を縦列等間隔に収容したチューブチューブを、上下一対のシールバーによる挟圧作用でもって溶着する装置に関する。
【背景技術】
【０００２】
多数の被包装物を縦列等間隔に運搬する一方、長手方向に移送する帯状フイルムを前記の各被包装物の周囲でチューブ化すると共に、上下一対のシールバーでもって前記チューブフイルムを所定間隔で挟圧し、前記各被包装物を隔離シールする製袋充填包装機は下記の特許文献１に示されるが、上下のシールバーがチューブフイルムを挟圧するとき、チューブ化したフイルムにはシールバー挟圧による多数の皺が発生し、この皺部分を溶着するので気密性及び美観性に劣る欠点がある。
【０００３】
【特許文献１】特開２０００−１６８７４号公報
【考案の開示】
【０００４】
本考案は前記問題を解決するために、被包装物を縦列等間隔で収容して長手方向に移送するチューブフイルムを、前記各被包装物間で挟圧して前記フイルムを密封シールする上下一対の加熱シールバーであつて、前記フイルムの移送軌道両側における前記上下シールバーの前後面それぞれに、前記フイルム両側を挟持して両側方向に引っ張る装置を設けたものであつて、該装置は、上下の挟持爪をそれぞれ平行リンクでもって上下シールバーに揺動自在に支持する一方、通常、これら上下挟持爪をコイルスプリングの引っ張り特性でもって互いに対向方向に突き出すように付勢し、前記両シールバーの接近で前記挟持爪が互いに突き合うことで、前記コイルスプリングの引っ張り力に抗して前記両側の平行リンクを相反する方向に回転させるように構成した。
【０００５】
前記の構成によれば、上下のシールバーが各被包装物をチューブフイルム内に隔離シールするために接近する過程で、通常、コイルスプリングの付勢力を受ける挟持爪で前記チューブフイルムの両側縁を挟持し、その後、前記スプリングを引き伸ばしながら平行リンクを回転させて挟持爪を両側方向に変位させるから、前記チューブフイルムの両側を相反する方向に引っ張りながら同フイルムを加熱シールすることになるのである。
【実施例１】
【０００６】
図３は、紙面スペースの関係で、シール装置正面の右側半分を示したもので、その構成は、棒状ガイド１０を縦方向に立設する左右一対のスライドブロック１１を、機台１２に固定した水平ガイド１３にスライド自在に支持する共に、前記両サイドのガイド１０に上下一対の架材１４、１５を上下動自在に支持し、前記の上部架材１４の上に固定したシリンダー１６内にコイルスプリング１７  を設置する共に、該スプリング１７で、前記架材１４を上下に貫通するロッド１８下端に固定した上部シールバー１９を、常時、下方向に付勢し、一方、下側の架材１５はその上面に下部シールバー２０を固定する。
【０００７】
前記の両側スライドブロック１１間に回転自在に支持した主軸２１の両端それぞれに、キー２２を介してブロック座２３を固定すると共に、該座２３に偏芯クランク２４を複数のビスでもって固定する。また前記偏芯クランク２４  に第１クランクアーム２５をビス２６で固着する一方、前記第１クランク２５  と前記上部架材１４とをリンク２７を介して連結する。また前記の円形偏芯クランク２４は周りに第２クランクアーム２８を、ボールベアリング２９を介して支持するが、このクランクアーム２８は下部架材１５と連結する。
【０００８】
スライドブロック１１に支持したモータ３０の軸に固定したピニオン３１から、歯車３２を介して前記主軸２１に回転動力を伝えることで、前記主軸２１の偏芯部に位置するクランク２４の公転により、同偏芯クランク２４に固定した第１クランクアーム２５は、リンク２７を介して上部架材１４を上下動し、一方、前記クランク２４の公転運動により第２クランクアーム２８は下部架材１５を上下動し、上下両シールバー１９、２０を、スプリング１７の反力に抗して圧接かつ離反する運動を繰り返し、チューブフイルム３５を規定の間隔で挟圧するのである。
【０００９】
図１に左側半分を示す上下一対のシールバー１９と２０とは、それらの正面にそれぞれリンク支持壁３６を固定して備え、また図２に同右側半分を示す上下シールバー１９と２０とにも、それぞれリンク支持壁３６を固定する。
【００１０】
図４に拡大して示すように、前記のリンク支持壁３６は、シールバー１９との間に所定幅の隙間が生ずるように、所定数のビス３７を用いて固定しており、同支持壁３６にピン３８、３９を介して支持した複数の平行リンク４１、４２  で挟持爪４３鉛直状に支持する一方、前記リクン４２とピン４９との間に設けた収縮性のコイルスプリング４５の収縮力で、前記の挟持爪４３を下方に突き出し付勢する。なお当該図面は上部シールバー１９を示すものであるから爪  ４３は下方向に突き出すが、図１に示す下部シールバー２０において挟持爪  ４４は上方向に突き出すように付勢されるのであり、上下の挟持爪４４、４５    は互いに角付き合う方向への付勢力を受ける設計である。
【００１１】
また図５に示すように、被包装物５０を収容するチューブフイルム３５の進行方向に向けて前記上下のシールバー１９、２０は、その前後面それぞにも、図１及び図２と同じ構成の挟持爪４３、４４を備えるのである。
【００１２】
図４において挟持爪４３に、コイルスプリング４５の引っ張りに抗して下方から矢印６０のごとき力が働くと、２本のリンク４１、４２はピン３８、３９を軸に時計方向に回転し、挟持爪４３を矢印６１の方向に変位させる。この場合下からの突き上げ力６０が他の挟持爪だとすると、これら爪４３に挟持されるチューブフイルムは左手方向に引っ張られる。一方図２における一対の挟持爪４３、４４に挟持されるフイルムは右手方向に引っ張られる。結局チューブフイルム３５の両側を挟持した爪は離反してチューブフイルムを緊張して、上下のシールバー１９、２０により溶着されることになるのである。
【図面の簡単な説明】
【００１３】
【図１】シールバー左側半分の正面図
【図２】前図の残る右側半分の正面図
【図３】シール装置の左側半分の正面図
【図４】シールバーの側面断面図
【図５】挟持爪の部分的説明図
【符号の説明】
【００１４】
１４‥‥上部架材
１５‥‥下部架材
１７‥‥コイルスプリング
１９、２０‥‥シールバー
３５‥‥チューブフイルム
３６‥‥支持壁
３８、３９‥‥ピン
４１、４２‥‥平行リンク
４３、４４‥‥挟持爪
４５‥‥引っ張りスプリング
【図１】
0003120353.tif 000003
【図２】
0003120353.tif 000004
【図３】
0003120353.tif 000005
【図４】
0003120353.tif 000006
【図５】
0003120353.tif 000007